(57)【要約】【課題】ブログサービスや、ウィッキサービス等に関する知識があまりないユーザであっても、ウェブブラウザによって閲覧及び編集が可能なウェブページサイトを容易に利用することができるウェブページデータ処理システム及び処理方法を提供する。【解決手段】このウェブページデータ処理システムでは、ブログ作成サポート業者のコンピュータ３は、ユーザの端末５Ａ，５Ｂから電子メールにより送られてくるデータ要素に基づいて、コンピュータ１によって通信ネットワークＮ上に生成されるブログサイトにアクセスし、ブログページの作成及び更新を行うようになっている。【選択図】図２
2007156972.tif 000002
【特許請求の範囲】
【請求項１】
通信ネットワークを介して互いに接続可能とされた第１及び第２のコンピュータを備え、
前記第１のコンピュータは、
ウェブブラウザによって閲覧及び編集が可能な複数のウェブページを有するウェブサイトを、そのウェブサイトに通信ネットワークを介してアクセス可能な状態で生成及び管理し、
前記第２のコンピュータは、
ユーザの端末から送信されてきたウェブページの新設に関する第１の電子メールを前記通信ネットワークを介して受け付けるとともに、前記通信ネットワークを介して前記第１のコンピュータにアクセスし、その第１の電子メールに含まれる新設用データ要素に基づいて新たなウェブページを前記第１のコンピュータに生成させる第１の処理動作と、
ユーザの端末から送信されてきたウェブページの更新に関する第２の電子メールを前記通信ネットワークを介して受け付けるとともに更新対象の前記ウェブページを特定し、その第２の電子メールに含まれる更新用データ要素に基づいて、前記通信ネットワークを介して前記第１のコンピュータにそのウェブページを更新させる第２の処理動作とのうちの少なくともいずれか一方の処理を行うことを特徴とするウェブページデータ処理システム。
【請求項２】
請求項１に記載のウェブページデータ処理システムにおいて、
前記第１のコンピュータは、
前記複数のウェブページに関するデータを格納するウェブページデータ格納部と、
前記ウェブページデータ格納部に格納された前記データに基づいて、前記通信ネットワークを介してアクセス可能な状態で前記ウェブサイトを生成及び管理する第１のデータ処理部と、
を備え、
前記第２のコンピュータは、
前記電子メールを前記通信ネットワークを介して受け付けるメール受付部と、
第２のデータ処理部と、
を備え、
前記第２のデータ処理部は、
前記メール受付部が受け付けた前記電子メールがウェブページの新設のための前記第１の電子メールである場合に、前記通信ネットワークを介して前記第１のコンピュータにアクセスし、その第１の電子メールに含まれる新設用データ要素に基づいて、新たなウェブページを、前記第１のコンピュータの前記第１のデータ処理部に作成させて前記ウェブページデータ格納部に格納させ、
前記メール受付部が受け付けた前記電子メールがウェブページの更新のための前記第２の電子メールである場合に、前記通信ネットワークを介して前記第１のコンピュータにアクセスし、その第２の電子メールに含まれる更新用データ要素に基づいて、前記第１のコンピュータの前記ウェブページデータ格納部に格納された更新対象のウェブページを前記第１のデータ処理部に更新させることを特徴とすることを特徴とするウェブページデータ処理システム。
【請求項３】
請求項１に記載のウェブページデータ処理システムにおいて、
前記第２のコンピュータは、
受け付けた前記電子メールに含まれる文字データ及び画像データのうちの少なくともいずれか一方を含むデータ要素に基づいて、新たなウェブページの作成処理又はウェブページの更新処理を行うことを特徴とするウェブページデータ処理システム。
【請求項４】
コンピュータにより生成及び管理され、通信ネットワークを介してアクセス可能となれたウェブサイト内に含まれる、ウェブブラウザによって閲覧及び編集が可能なウェブページのデータを処理するウェブページデータ処理方法であって、
電子メール、電話及びＦＡＸのうちの少なくともいずれか一つによる通信手段により、ユーザから与えらたウェブページの新設のための新設用データ要素に基づいて、新たなウェブページを前記ウェブサイト内に作成し、
前記通信手段により前記ユーザから与えられたウェブページの更新のための更新用データ要素に基づいて、更新対象のウェブページを特定してそのウェブページの内容を更新することを特徴とするウェブページデータ処理方法。
【請求項５】
コンピュータにより生成及び管理され、通信ネットワークを介してアクセス可能となれたウェブサイト内に含まれる、ウェブブラウザによって閲覧及び編集が可能なウェブページのデータを処理するウェブページデータ処理方法であって、
商品の販売及び役務の提供のうちの少なくともいずれか一方を行う事業者、及びその事業者から前記商品を購入又は前記役務の提供を受けた顧客のうちの少なくともいずれか一方をユーザとし、
電子メール、電話及びＦＡＸのうちの少なくともいずれか一つによる通信手段により、前記ユーザから与えらたウェブページの新設のための新設用データ要素に基づいて、新たなウェブページを前記ウェブサイト内に作成し、
前記通信手段により前記ユーザから与えられたウェブページの更新のための更新用データ要素に基づいて、更新対象のウェブページを特定してそのウェブページの内容を更新することを特徴とするウェブページデータ処理方法。
【発明の詳細な説明】
【技術分野】
【０００１】
本発明は、ウェブページデータ処理システム及び処理方法に関する。
【背景技術】
【０００２】
近年のインターネットの普及に伴い、インターネット上でのウェブブラウザによって簡単に閲覧及び編集が可能なウェブページサイト（例えば、ブログ（blog）（別名、ウェブログ（Weblog））、ウィッキ（wiki）等）の利用が広がりつつある。
【発明の開示】
【発明が解決しようとする課題】
【０００３】
この種のウェブページの作成、更新は、ホームページの作成、更新に比して簡単ではあるが、一般のインターネットユーザのなかには、ブログサービス等に関する知識不足等から、自分のブログページ等を作成したくてもそれがうまくできないユーザもおり、これがブログサービス等の利用の障害となっている。
【０００４】
特に、画像データ等を含んだブログ記事を作成するのは、必要とされる知識量等が大幅に増大するため、これを自力で行えるユーザはさらに限られる傾向にある。
【０００５】
そこで、本発明の解決すべき課題は、ブログサービスや、ウィッキサービス等に関する知識があまりないユーザであっても、ウェブブラウザによって閲覧及び編集が可能なウェブページサイトを容易に利用することができるウェブページデータ処理システム及び処理方法を提供することである。
【課題を解決するための手段】
【０００６】
上記の課題を解決するため、請求項１の発明では、通信ネットワークを介して互いに接続可能とされた第１及び第２のコンピュータを備え、前記第１のコンピュータは、ウェブブラウザによって閲覧及び編集が可能な複数のウェブページを有するウェブサイトを、そのウェブサイトに通信ネットワークを介してアクセス可能な状態で生成及び管理し、前記第２のコンピュータは、ユーザの端末から送信されてきたウェブページの新設に関する第１の電子メールを前記通信ネットワークを介して受け付けるとともに、前記通信ネットワークを介して前記第１のコンピュータにアクセスし、その第１の電子メールに含まれる新設用データ要素に基づいて新たなウェブページを前記第１のコンピュータに生成させる第１の処理動作と、ユーザの端末から送信されてきたウェブページの更新に関する第２の電子メールを前記通信ネットワークを介して受け付けるとともに更新対象の前記ウェブページを特定し、その第２の電子メールに含まれる更新用データ要素に基づいて、前記通信ネットワークを介して前記第１のコンピュータにそのウェブページを更新させる第２の処理動作とのうちの少なくともいずれか一方の処理を行う。
【０００７】
また、請求項２の発明では、請求項１の発明に係るウェブページデータ処理システムにおいて、前記第１のコンピュータは、前記複数のウェブページに関するデータを格納するウェブデータ格納部と、前記ウェブデータ格納部に格納された前記データに基づいて、前記通信ネットワークを介してアクセス可能な状態で前記ウェブサイトを生成及び管理する第１のデータ処理部とを備え、前記第２のコンピュータは、前記電子メールを前記通信ネットワークを介して受け付けるメール受付部と、第２のデータ処理部とを備え、前記第２のデータ処理部は、前記メール受付部が受け付けた前記電子メールがウェブページの新設のための前記第１の電子メールである場合に、前記通信ネットワークを介して前記第１のコンピュータにアクセスし、その第１の電子メールに含まれる新設用データ要素に基づいて、新たなウェブページを、前記第１のコンピュータの前記第１のデータ処理部に作成させて前記ウェブデータ格納部に格納させ、前記メール受付部が受け付けた前記電子メールがウェブページの更新のための前記第２の電子メールである場合に、前記通信ネットワークを介して前記第１のコンピュータにアクセスし、その第２の電子メールに含まれる更新用データ要素に基づいて、前記第１のコンピュータの前記ウェブデータ格納部に格納された更新対象のウェブページを前記第１のデータ処理部に更新させる。
【０００８】
また、請求項３の発明では、請求項１の発明に係るウェブページデータ処理システムにおいて、前記第２のコンピュータは、受け付けた前記電子メールに含まれる文字データ及び画像データのうちの少なくともいずれか一方を含むデータ要素に基づいて、新たなウェブページの作成処理又はウェブページの更新処理を行う。
【０００９】
また、請求項４の発明では、コンピュータにより生成及び管理され、通信ネットワークを介してアクセス可能となれたウェブサイト内に含まれる、ウェブブラウザによって閲覧及び編集が可能なウェブページのデータを処理するウェブページデータ処理方法であって、電子メール、電話及びＦＡＸのうちの少なくともいずれか一つによる通信手段により、ユーザから与えらたウェブページの新設のための新設用データ要素に基づいて、新たなウェブページを前記ウェブサイト内に作成し、前記通信手段により前記ユーザから与えられたウェブページの更新のための更新用データ要素に基づいて、更新対象のウェブページを特定してそのウェブページの内容を更新する。
【００１０】
また、請求項５の発明では、コンピュータにより生成及び管理され、通信ネットワークを介してアクセス可能となれたウェブサイト内に含まれる、ウェブブラウザによって閲覧及び編集が可能なウェブページのデータを処理するウェブページデータ処理方法であって、商品の販売及び役務の提供のうちの少なくともいずれか一方を行う事業者、及びその事業者から前記商品を購入又は前記役務の提供を受けた顧客のうちの少なくともいずれか一方をユーザとし、電子メール、電話及びＦＡＸのうちの少なくともいずれか一つによる通信手段により、前記ユーザから与えらたウェブページの新設のための新設用データ要素に基づいて、新たなウェブページを前記ウェブサイト内に作成し、前記通信手段により前記ユーザから与えられたウェブページの更新のための更新用データ要素に基づいて、更新対象のウェブページを特定してそのウェブページの内容を更新する。
【発明の効果】
【００１１】
請求項１及び２に記載の発明によれば、ウェブページの新設又は更新のためのデータ要素を電子メールに含ませて送信するだけで、そのデータ要素に基づいてウェブページの新設又は更新が自動的に行われるため、ブログサービスや、ウィッキサービス等に関する知識があまりないユーザであっても、ウェブブラウザによって閲覧及び編集が可能なウェブページサイトを容易に利用する。
【００１２】
請求項３に記載の発明によれば、ブログサービス等に関する知識があまりないユーザであっても、ウェブページへの記事、コメントの書き込みや、画像データの付与等を容易に行うことができる。
【００１３】
請求項４に記載の発明によれば、ウェブページの新設又は更新のためのデータ要素を、電子メール、電話及びＦＡＸのうちの少なくともいずれか一つによる通信手段により送付するだけで、そのデータ要素に基づいてウェブページの新設又は更新が行われるため、ブログサービスや、ウィッキサービス等に関する知識があまりないユーザであっても、ウェブブラウザによって閲覧及び編集が可能なウェブページサイトを容易に利用することができる。
【００１４】
請求項５に記載の発明によれば、ウェブページの新設又は更新のためのデータ要素を、電子メール、電話及びＦＡＸのうちの少なくともいずれか一つによる通信手段により送付するだけで、そのデータ要素に基づいてウェブページの新設又は更新が行われるため、ブログサービスや、ウィッキサービス等に関する知識があまりないユーザであっても、ウェブブラウザによって閲覧及び編集が可能なウェブページサイトを容易に利用することができる。
【００１５】
また、商品の販売等を行う事業者及びその顧客には、その業種に特有の話題やテーマ等がある傾向があり、事業者及びその顧客を本発明に係るウェブページ作成等のサポート処理のユーザとして、その特有の話題やテーマ等に関連するウェブページの作成、更新サービスを提供することにより、ウェブページ作成のための処理負担を軽減しつつ、ユーザ数を拡大することができる。例えば、事業者については、その事業者が取り扱う商品の紹介等のためのブログページ、ウィッキページ等の需要が見込まれ、その事業者の顧客については、その事業者から購入した商品等に関連する話題やテーマ等に関連するブログページ、ウィッキページ等の需要が見込まれる。
【発明を実施するための最良の形態】
【００１６】
＜概要説明＞
図１は本発明の一実施形態に係るウェブページデータ処理システムが適用されたブログ作成サポートサービスに関する説明図であり、図２は本発明の一実施形態に係るウェブページデータ処理システムの構成図である。
【００１７】
まず、図１を参照して、本実施形態に係るウェブページデータ処理システムが適用されるブログ作成サポートサービスについて説明する。このサービスでは、図１に示すように、商品の販売及び役務の提供を行う事業者Ａ、及びその事業者から商品を購入又は役務の提供を受けた顧客Ｂをこのサービスのユーザとし、ブログ作成サポート業者Ｃが、そのユーザに対してブログページの作成、更新のサポートを行うようになっている。図１中の矢印Ｍ１は商品、役務の流れを示している。なお、変形例として、事業者Ａ及び顧客Ｂのいずれか一方のみをこのサービスのユーザとしてもよい。
【００１８】
ブログ作成サポート業者Ｃは、電子メール等を用いてユーザ（以下、単に「ユーザ」というときは、事業者Ａ及びその顧客Ｂの両方を含むものとする）からブログページ新設のための新設用データ要素を受け取ると、ブロガーであるブログサイト提供業者Ｄのブログサイトにアクセスし、その新設用データ要素に基づいてそのユーザのためのブログページを新たに作成するようになっている。なお、ブログサイト内の各ブログページには、事業者Ａ、顧客Ｂ及びブログ作成サポート業者Ｃを含むブログサイト利用者がＡインターネット等の通信ネットワークを介して広くアクセス可能（閲覧可能）となっている。
【００１９】
また、ブログ作成サポート業者Ｃは、電子メール等を用いてユーザからブログページ更新のための更新用データ要素を受け取ると、ブログサイトにアクセスして更新対象のブログページを特定するとともに、その特定したブログページを更新するための更新用データを作成し、その更新用データに基づいて、その特定したブログページの内容を更新するようになっている。
【００２０】
ユーザからブログ作成サポート業者Ｃにブログページに関するデータ要素を送るための通信手段としては、電子メール、電話及びＦＡＸのうちの少なくともいずれか一つが単体で或いは組み合わで用いられる。
【００２１】
事業者Ａがユーザである場合は、ブログページに関するデータ要素が、図１中の矢印Ｍ２に示すように、電子メール等により事業者Ａからブログ作成サポート業者Ｃに直接送られるようになっている。これに対して、顧客Ｂがユーザである場合には、ブログページに関するデータ要素が電子メール等により送られるルートとして、図１中の矢印Ｍ３に示すように顧客Ｂからブログ作成サポート業者Ｃに直接送られるルートと、同図中の矢印Ｍ４に示すように顧客Ｂから事業者Ａを介してブログ作成サポート業者Ｃに送られるルートとがある。なお、図１中の矢印Ｍ５は、ブログ作成サポート業者Ｃからブログサイト提供業者Ｄへのデータの流れを示している。
【００２２】
なお、ブログ作成サポート業者Ｃのサービスに対する収益については、事業者Ａのブログページに対するものについては事業者Ａから徴収する。また、顧客Ｂのブログページに対するものについては、顧客Ｂから直接徴収するようにしてもよいし、事業者Ａを介して徴収するようにしてもよい。
【００２３】
また、顧客Ｂが事業者Ａから商品を購入等した際などに、事業者Ａから顧客Ｂにブログ作成サポート業者Ｃのサービスについて案内してもらうようにすると、ユーザ数の拡大に好都合である。
【００２４】
＜ウェブページデータ処理システムの構成＞
次に、図２を参照して、本実施形態に係るウェブページデータ処理システムの構成について説明する。なお、以下に説明するウェブページデータ処理システムの構成例では、ユーザからブログ作成サポート業者Ｃへのブログ作成等のためのデータ要素の送付は、電子メールで行うようになっている。
【００２５】
このウェブページデータ処理システムは、図２に示すように、ブログサイト提供業者Ｄが有するコンピュータ（第１のコンピュータ）１と、ブログ作成サポート業者Ｃが有するコンピュータ（第２のコンピュータ）３を備えて構成されている。或いは、このウェブページデータ処理システムの構成要素として、ユーザである事業者Ａ及び顧客Ｂが有する端末５Ａ，５Ｂを含めるようにしてもよい。これらのコンピュータ１，３及び端末５Ａ，５Ｂは、インターネット等の通信ネットワークＮにより互いに接続可能とされている。
【００２６】
なお、本願において「コンピュータ」とは、実質的に単独で所定の情報処理を行るようになっている１台のコンピュータと、連携して所定の情報処理を行うようになっている複数台のコンピュータからなるコンピュータシステムとの両方を含む概念である。また、コンピュータ１、３としては例えばサーバが用いられる。また、端末５Ａ，５Ｂとしては、例えば携帯電話（カメラ付き携帯電話、及びカメラ無し携帯電話）、いわゆるパソコン、携帯型情報端末（パーム（Palm）（商標）等）が用いられる。
【００２７】
コンピュータ１は、複数のブログページを有するブログサイトを、そのブログサイトに通信ネットワークＮを介してアクセス可能な状態で生成及び管理するものであり、その機能要素として、ブログデータ格納部１ａと、データ処理部（第１のデータ処理部）１ｂとが備えられる。ブログデータ格納部１ａには、ブログサイト内に含まれるブログページに関するデータが、図３に示すようにブログページごとに分類されてデータベース化されて格納されている。各ブログページには通信ネットワークＮ上のアドレス（ＵＲＬ等）、及び識別データ（ユーザＩＤ等）が付与されている。
【００２８】
各ブログページに関するデータとしては、図４に示すように、ブログ設定データ、プロフィールデータ、及び各記事などに関するデータが含まれている。ブログ設定データには、例えば、そのブログページのアドレス、識別データ、ブログタイトル、ブログページのフォーム（背景画像、記事やコメント等の配置構成など）などに関するデータが含まれる。プロフィールデータには、そのブログページの作者、テーマ（例えば、ペットなど）などに関するデータが含まれる。プロフィールデータの具体例としては、例えば、作者の性別、生年月日（又は年齢）、氏名（又はハンドルネーム）、住所、メールアドレス、一言メッセージなどが含まれていたり、ブログページのテーマがペットである場合には、そのペットの名前、性別、犬種、飼い主の住所、氏名などが含まれている。
【００２９】
記事に関すデータとしては、例えば、記事本文のデータ、記事中に貼り付けられている画像データ、記事に関するコメントのデータなどが含まれている。
【００３０】
データ処理部１ｂは、ブログデータ格納部１ａに格納されたデータに基づいて、通信ネットワークＮを介してアクセス可能な状態でブログサイトを生成及び管理する。そのブログサイト内のブログページは、例えば図５に示すように、タイトルを表示するタイトル表示部１１、プロフィールに関するデータ等を表示するプロフィール表示部１３、及び記事を表示する記事表示部１５などを含んで構成されている。記事表示部１５には、記事本文が表示される本文表示部１５ａ、画像が表示される画像表示部１５ｂ、及びコメントが表示されるコメント表示部１５ｃなどを含んで構成されている。
【００３１】
コンピュータ３は、ユーザから電子メールにより送られてくるデータ要素に基づいてブログページの作成及び更新を行うものであり、その機能要素として、メール受付部３ａと、データ処理部（第２のデータ処理部）３ｂと、データ格納部３ｃとが備えられる。
【００３２】
メール受付部３ａは、後述するデータ処理部３ｂの制御により、端末５Ａ，５Ｂから通信ネットワークＮを介して送られてくる電子メールを受け付ける。データ格納部３ｃには、ユーザ管理データ、及びユーザのブログページデータが格納されている。ユーザ管理データとしては、例えば各ユーザの識別データ（パスワード等も含む）、及びそのユーザの端末５Ａ，５Ｂのメールアドレスなどが互いに対応付けられて格納されている。ブログページデータとしては、ブログ作成サポートサービスの利用者であるユーザのブログサイト内のブログページデータのコピーデータが格納されている。このブログページデータのコピー処理は、後述のデータ処理部３ｂの制御により、定期的に行われるようになっている。
【００３３】
データ処理部３ｂは、メール受付部３ｂの制御、データ格納部３ｂに格納されたデータの管理、及び、ユーザから送信されてくる電子メールに含まれるデータ要素に基づいたブログページの作成、更新処理を行う。
【００３４】
ここで、説明の便宜上、ブログページの新設を指示する電子メールを第１の電子メールと呼び、既に存在するブログページの更新を指示する電子メールを第２の電子メールと呼ぶこととする。データ処理部３ｂによる第１の電子メールと第２の電子メールとの判別は、例えば、電子メールの件名や本文中におけるブログページの新設、更新を意味する記載（文書、文字列、キーワードなど）に基づいて行われるようになっている。
【００３５】
端末５Ａ，５Ｂから送信されてきたブログページの新設に関する第１の電子メールがメール受付部３ａで受け付けられると、データ処理部３ｂによるブログページの新設処理が行われる。具体的には、データ処理部３ｂが、通信ネットワークＮを介してコンピュータ１にアクセスし、第１の電子メールに含まれる新設用データ要素（ブログタイトル、プロフィール、最初の記事など）に基づいて、新たなブログページを、コンピュータ１のデータ処理部１ｂに作成させてブログデータ格納部１ａに格納させる。この場合、コンピュータ１が生成するブログサイト画面に対してその画面上でブログページ作成のための入力処理を行ってブログページの新設処理を行うようにしてもよく、コンピュータ３のデータ処理部３ｂがブログデータ格納部１ａのデータベースの内容を直接的に変更してブログページの新設処理を行うようにしてもよい。なお、ブログページ新設の際に必要なユーザＩＤ等の識別データは、ブログページ新設処理に伴ってデータ処理部３ｂが自動的に生成するようにしてもよいし、第１の電子メールに含ませておく構成にしてもよい。
【００３６】
また、端末５Ａ，５Ｂから送信されてきたブログページの更新に関する第２の電子メールがメール受付部３ａで受け付けられると、データ処理部３ｂによるブログページの更新処理が行われる。具体的には、データ処理部３ｂが、通信ネットワークＮを介してコンピュータ１にアクセスし、その第２の電子メールに含まれる更新用データ要素（記事、記事中に貼り付ける画像、コメントなど）に基づいて、コンピュータ１のブログデータ格納部１ａに格納された更新対象のブログページをデータ処理部１ａに更新させる。この場合、コンピュータ１が生成するブログサイト画面に対してその画面上でブログページ更新のための入力処理を行ってブログページの新設処理を行うようにしてもよく、コンピュータ３のデータ処理部３ｂがブログデータ格納部１ａのデータベースの内容を直接的に変更してブログページの更新処理を行うようにしてもよい。なお、更新対象のブログページの特定については、例えば、データ格納部３ｃのユーザ管理データに基づいて第２の電子メールの送信元である端末５Ａ，５ＢのメールアドレスによりユーザＩＤ等のブログページの識別データを検索することによりブログページの特定を行うようにしてもよい。
【００３７】
このデータ処理部３ｂによるブログページの新設、更新処理について、より詳細な具体例を挙げて説明する。このブログページの新設、更新処理では、ブログページの記事の内容等に関するデータ要素を電子メールに付与して送信するだけで、そのデータ要素に基づいてブログページの記事がデータ処理部３ｂにより自動的に作成されるようになっている。例えば、画像を付与した記事をブログページに書き込みたい場合には、ユーザ側の作業としては、端末５Ａ，５Ｂとして用いているカメラ付き携帯電話を用い、所望の記事の内容に関する文書等を電子メールの本文に書き込むとともに、所望の画像を撮影してその電子メールに添付し、その電子メールをブログ作成サポート業者Ｃに送付すればよい。記事本文等の作成処理については、電子メールで送られてきた記事の内容を実質的にそのままブログページの記事として使用するようにしてもよいが、電子メールの本文等に書き込まれた文書データ等に基づき、文書やキーワードに基づいて自動で文書作成を行うための自動作文アルゴリズムや文書作成データベース等を用いることにより、送られてきた元の文書データに対して自動的に言葉やメッセージ等を追加、修正してブログページの記事内容等を作成するようにしてもよい。この場合、季節や、ブログページのプロフィールデータなどを利用して、ブログ記事等の自動作成処理を行うようにしてもよい。
【００３８】
なお、自動作成した記事等をブログサイトにアップする際に、データ処理部３ｂに記事等の内容をコンピュータ３の図示しない出力装置（ディスプレイ等）に出力させ、管理者が内容を確認して問題がない場合についてのみ、その記事の内容をブログサイトにアップするようにしてもよい。
【００３９】
＜サービス適用例＞
次に、本実施形態に係るウェブページデータ処理システムが用いられるブログ作成サポートサービスの具体的な適用例について説明する。
【００４０】
第１の適用例としては、いわゆるブライダル業界の結婚式場提供業者やその顧客をユーザとして、ブログ作成サポートサービスを提供する例が考えられる。この場合、結婚式場提供業者については、結婚式場、結婚式の内容、引き出物などに関するブログページの作成サポートの需要が見込まれる。また、顧客である結婚カップルについては、結婚後の様子（新生活や、子供の誕生など）等に関するブログページの作成サポートの需要が見込まれる。
【００４１】
また、第２の適用例としては、いわゆるペット業界のブリーダー、ペットショップ、ペットサロン、犬猫病院などの事業者とその顧客をユーザとして、ブログ作成サポートサービスを提供する例が考えられる。例えば、ブリーダーやペットショップについては、扱っているペットに関するブログページの作成サポートの需要が見込まれ（例えば、子犬等が生まれてからその時点までの写真を掲載したブログページを作成すれば、顧客の購買意欲を促進する効果が見込まれる）、ペットサロンや犬猫病院などついてはそのサービスの内容等に関するブログページの作成サポートの需要が見込まれる。また、顧客については、飼っているペットに関するブログページ（自分のペットを画像付きの記事で紹介するものなど）の作成サポートの需要が見込まれる。
【００４２】
また、他の適用例としては、塾業界、自動車販売業界（中古車販売も含む）、不動産業界、幼稚園業界などが考えられる。
【００４３】
＜まとめ＞
以上のように、本実施形態によれば、ブログページの新設、更新のためのデータ要素を電子メールに含ませて送信するだけで、そのデータ要素に基づいてブログページの新設、更新が自動的に行われるため、ブログサービスに関する知識があまりないユーザであっても、ブログサービスを容易に利用することができる。
【００４４】
また、ブログサービスに関する知識があまりないユーザであっても、ブログページへの記事、コメントの書き込みや、画像データの付与等を容易に行うことができる。
【００４５】
また、商品の販売等を行う事業者Ａ及びその顧客Ｂには、その業種に特有の話題やテーマ等がある傾向があり、事業者Ａ及びその顧客Ｂを本実施形態に係るブログページ作成等のサポート処理のユーザとして、その特有の話題やテーマ等に関連するブログページの作成、更新サービスを提供することにより、ブログページ作成のための処理負担を軽減しつつ、ユーザ数を拡大することができる。
【００４６】
＜変形例＞
なお、上述の実施形態では、ブログページの作成、更新処理を電子メールに付されたデータ要素に基づいて自動的に行うようにしたが、ブログページの作成、更新のいずれか一方又は両方をオペレータ等が電子メール等で与えられたデータ要素に基づいて手動で行うようにしてもよい。その場合のオペレータ等とユーザとの連絡は、電子メール、電話、ＦＡＸ等で行われる。
【００４７】
また、上述の実施形態では、ブログ作成サポート業者Ｃがブログサイト提供業者Ｄと別業者であったが、これらサービスを一つの業者が提供するようにしてもよい。この場合、コンピュータ１，３の機能を一つのコンピュータに持たせるようにしてもよい。
【００４８】
また、上述の実施形態では、本発明に係るウェブページデータ処理システムをブログページの新設、更新処理等に適用し例について説明したが、本発明に係るウェブページデータ処理システムは、ウェブブラウザにより閲覧、編集が可能なウェブページであれば任意のウェブページの新設、更新処理に適用できる。他の適用例としては、例えばウィッキ（wiki）により作成されたウェブページや、ブログとウィッキという具合に複数種類のサイト形成プログラムを用いて形成されたウェブページへの適用が考えられる。
【図面の簡単な説明】
【００４９】
【図１】本発明の一実施形態に係るウェブページデータ処理システムが適用されたブログページサ作成ポートサービスに関する説明図である。
【図２】本発明の一実施形態に係るウェブページデータ処理システムの構成図である。
【図３】ブログデータベースの構成を示す図である。
【図４】ブログページに含まれるデータ内容を例示的に示す図である。
【図５】ブログページの構成例を概略的に示す図である。
【符号の説明】
【００５０】
１  ブログサイト提供業者のコンピュータ、１ａ  ブログデータ格納部、１ｂ  データ処理部、３  ブログ作成サポート業者のコンピュータ、３ａ  メール受付部、３ｂ  データ処理部、３ｃ  データ格納部、５Ａ  事業者の端末、５Ｂ  顧客の端末、Ａ  事業者、Ｂ  顧客、Ｃ  ブログ作成サポート業者、Ｄ  ブログサイト提供業者、Ｎ  通信ネットワーク
【図１】
2007156972.tif 000003
【図２】
2007156972.tif 000004
【図３】
2007156972.tif 000005
【図４】
2007156972.tif 000006
【図５】
2007156972.tif 000007